(57)【要約】【課題】設置時の利便性を向上させることが可能なプロジェクター及びその制御方法を提供する。【解決手段】姿勢検出部がプロジェクターの傾きを検出し（ステップＳ１０１）、制御部は、姿勢検出部の検出結果に基づいて、画像補正部に縦方向の台形歪を補正（自動補正）させる（ステップＳ１０２）。そして、記憶部に記憶されているメニュー表示フラグがオンの場合には、制御部は、ＯＳＤ処理部に指示をして、設置メニューを重畳表示させる（ステップＳ１０４）。設置メニューには、プロジェクターの設定を行うための複数の設定項目が含まれており、ユーザーによっていずれかの設定項目が選択されると、制御部は、選択された設定項目に応じてプロジェクターの動作を制御する（ステップＳ１０７）。【選択図】図６
2012173378.tif 000002
【特許請求の範囲】
【請求項１】
プロジェクターであって、
画像を投写する画像投写部と、
前記プロジェクターの設置状態を検出する検出部と、
前記画像投写部から投写される前記画像の台形歪を、前記検出部の検出結果に基づいて補正する補正部と、
前記補正部による前記台形歪の補正が行われた場合に、前記プロジェクターの設定を行うための設定項目を含んだメニュー画像を、前記画像投写部から投写させて表示するメニュー表示部と、
前記設定項目を選択するための入力操作を受け付ける入力操作部と、
前記入力操作部で選択された設定項目に応じた動作を制御する制御部と、
を備えたことを特徴とするプロジェクター。
【請求項２】
請求項１に記載のプロジェクターであって、
前記メニュー画像を表示するか否かを選択させるメニュー表示選択部をさらに備え、
前記メニュー表示部は、前記メニュー表示選択部で前記メニュー画像を表示する選択がなされた場合に前記メニュー画像を表示することを特徴とするプロジェクター。
【請求項３】
請求項１又は２に記載のプロジェクターであって、
前記メニュー画像に含まれる前記設定項目を変更するメニュー変更部をさらに備えたことを特徴とするプロジェクター。
【請求項４】
請求項１〜３のいずれか一項に記載のプロジェクターであって、
前記画像投写部から投写される前記画像のフォーカス状態を調整するフォーカス調整部をさらに備え、
前記メニュー表示部は、前記補正部による前記台形歪の補正、及び前記フォーカス調整部による前記フォーカス状態の調整が行われた場合に、前記画像投写部から前記メニュー画像を投写させることを特徴とするプロジェクター。
【請求項５】
画像を投写するプロジェクターの制御方法であって、
前記プロジェクターの設置状態を検出する検出ステップと、
前記画像の台形歪を、前記検出ステップでの検出結果に基づいて補正する自動補正ステップと、
前記自動補正ステップでの前記台形歪の補正の後に、前記プロジェクターの設定を行うための設定項目を含んだメニュー画像を投写させるメニュー表示ステップと、
前記設定項目を選択するための入力操作を受け付ける設定項目選択ステップと、
前記設定項目選択ステップで選択された設定項目に応じた動作を制御する制御ステップと、
を備えたことを特徴とするプロジェクターの制御方法。
【請求項６】
請求項５に記載のプロジェクターの制御方法であって、
前記メニュー画像を表示するか否かを選択させるメニュー表示選択ステップをさらに備え、
前記メニュー表示ステップでは、前記メニュー表示選択ステップで前記メニュー画像を表示する選択がなされた場合に前記メニュー画像を表示することを特徴とするプロジェクターの制御方法。
【請求項７】
請求項５又は６に記載のプロジェクターの制御方法であって、
前記メニュー画像に含まれる前記設定項目を変更するメニュー変更ステップをさらに備えたことを特徴とするプロジェクターの制御方法。
【請求項８】
請求項５〜７のいずれか一項に記載のプロジェクターの制御方法であって、
前記画像のフォーカス状態を調整するフォーカス調整ステップをさらに備え、
前記メニュー表示ステップでは、前記自動補正ステップでの前記台形歪の補正、及び前記フォーカス調整ステップでの前記フォーカス状態の調整の後に、前記メニュー画像を投写させることを特徴とするプロジェクターの制御方法。
【発明の詳細な説明】
【技術分野】
【０００１】
本発明は、画像を投写するプロジェクター及びその制御方法に関する。
【背景技術】
【０００２】
画像を投写するプロジェクターが投写面に対して傾いて設置されると、表示される画像が台形状に変形する現象（台形歪）が生じてしまう。このため、プロジェクターの設置状態に応じて台形歪を自動的に補正する技術が種々提案されている（例えば、特許文献１、２参照）。このような技術を用いれば、プロジェクターを設置した際に台形歪を容易に補正することができるので、利便性が高まる。
【先行技術文献】
【特許文献】
【０００３】
【特許文献１】特開２００４−１８７０５２号公報
【特許文献２】特開２０１０−１６４６０５号公報
【発明の概要】
【発明が解決しようとする課題】
【０００４】
しかしながら、プロジェクターを設置する際には、台形歪の補正以外にも、設置状況等に応じて様々な設定や調整を行う必要が生じる場合がある。ここで、それぞれの設定を行うための専用の操作キーをプロジェクターに備えるようにすれば、単純なキー操作で設定を行うことが可能となるが、コスト、デザイン、スペース等の制約により現実的ではない。一般的には、各種設定を行うためのメニュー画面を表示させ、メニュー画面に含まれる多数の設定項目の中から所望の項目を見つけ出し、これを選択した後で設定のための操作を行う必要があるため、操作が煩雑であり、利便性が悪いという問題を有している。そして、設定すべき項目が多い場合には、上記の作業を繰り返さなければならないうえ、様々な場所に持ち運んで使用される可搬型のプロジェクターでは、プロジェクターを設置する度にこの作業を行わなければならない。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、画像を投写する画像投写部と、前記プロジェクターの設置状態を検出する検出部と、前記画像投写部から投写される前記画像の台形歪を、前記検出部の検出結果に基づいて補正する補正部と、前記補正部による前記台形歪の補正が行われた場合に、前記プロジェクターの設定を行うための設定項目を含んだメニュー画像を、前記画像投写部から投写させて表示するメニュー表示部と、前記設定項目を選択するための入力操作を受け付ける入力操作部と、前記入力操作部で選択された設定項目に応じた動作を制御する制御部と、を備えたことを特徴とする。
【０００７】
このプロジェクターによれば、検出部の検出結果に基づく台形歪の補正（自動補正）が行われた場合に、プロジェクターの設定を行うための設定項目を含んだメニュー画像が表示される。このため、ユーザーによってプロジェクターが設置されると、設置状態に応じて台形歪が補正されるとともに、プロジェクターの各種設定を設置状態に応じて設定し直すことが容易になり、設置時の利便性が向上する。
【０００８】
［適用例２］上記適用例に係るプロジェクターにおいて、前記メニュー画像を表示するか否かを選択させるメニュー表示選択部をさらに備え、前記メニュー表示部は、前記メニュー表示選択部で前記メニュー画像を表示する選択がなされた場合に前記メニュー画像を表示することが望ましい。
【０００９】
このプロジェクターによれば、メニュー画像を表示するか否かを選択できるため、プロジェクターの設定を行う必要がない場合にもメニュー画像が表示されてしまうことを防ぐことができる。
【００１０】
［適用例３］上記適用例に係るプロジェクターにおいて、前記メニュー画像に含まれる前記設定項目を変更するメニュー変更部をさらに備えることが望ましい。
【００１１】
このプロジェクターによれば、メニュー画像に含まれる設定項目を変更できるため、使用環境やユーザーの好み等に応じた設定項目をメニュー画像に含めることが可能となり、設置時の利便性がさらに向上する。
【００１２】
［適用例４］上記適用例に係るプロジェクターにおいて、前記画像投写部から投写される前記画像のフォーカス状態を調整するフォーカス調整部をさらに備え、前記メニュー表示部は、前記補正部による前記台形歪の補正、及び前記フォーカス調整部による前記フォーカス状態の調整が行われた場合に、前記画像投写部から前記メニュー画像を投写させることが望ましい。
【００１３】
このプロジェクターによれば、フォーカス状態の調整が行われた場合に設置メニューが表示されるため、設置メニューの視認性が向上する。
【００１４】
［適用例５］本適用例に係るプロジェクターの制御方法は、画像を投写するプロジェクターの制御方法であって、前記プロジェクターの設置状態を検出する検出ステップと、
前記画像の台形歪を、前記検出ステップでの検出結果に基づいて補正する自動補正ステップと、前記自動補正ステップでの前記台形歪の補正の後に、前記プロジェクターの設定を行うための設定項目を含んだメニュー画像を投写させるメニュー表示ステップと、前記設定項目を選択するための入力操作を受け付ける設定項目選択ステップと、前記設定項目選択ステップで選択された設定項目に応じた動作を制御する制御ステップと、を備えたことを特徴とする。
【００１５】
このプロジェクターの制御方法によれば、検出ステップでの検出結果に基づいて台形歪を補正する自動補正ステップの後に、プロジェクターの設定を行うための設定項目を含んだメニュー画像が表示される。このため、ユーザーによってプロジェクターが設置されると、設置状態に応じて台形歪が補正されるとともに、プロジェクターの各種設定を設置状態に応じて設定し直すことが容易になり、設置時の利便性が向上する。
【００１６】
［適用例６］上記適用例に係るプロジェクターの制御方法において、前記メニュー画像を表示するか否かを選択させるメニュー表示選択ステップをさらに備え、前記メニュー表示ステップでは、前記メニュー表示選択ステップで前記メニュー画像を表示する選択がなされた場合に前記メニュー画像を表示することが望ましい。
【００１７】
このプロジェクターの制御方法によれば、メニュー画像を表示するか否かを選択できるため、プロジェクターの設定を行う必要がない場合にもメニュー画像が表示されてしまうことを防ぐことができる。
【００１８】
［適用例７］上記適用例に係るプロジェクターの制御方法において、前記メニュー画像に含まれる前記設定項目を変更するメニュー変更ステップをさらに備えることが望ましい。
【００１９】
このプロジェクターの制御方法によれば、メニュー画像に含まれる設定項目を変更できるため、使用環境やユーザーの好み等に応じた設定項目をメニュー画像に含めることが可能となり、設置時の利便性がさらに向上する。
【００２０】
［適用例８］上記適用例に係るプロジェクターの制御方法において、前記画像のフォーカス状態を調整するフォーカス調整ステップをさらに備え、前記メニュー表示ステップでは、前記自動補正ステップでの前記台形歪の補正、及び前記フォーカス調整ステップでの前記フォーカス状態の調整の後に、前記メニュー画像を投写させることが望ましい。
【００２１】
このプロジェクターの制御方法によれば、フォーカス状態を調整した後で設置メニューが表示されるため、設置メニューの視認性が向上する。
【図面の簡単な説明】
【００２２】
【図１】第１実施形態のプロジェクターを示す斜視図であり、（ａ）は、前方から見た図、（ｂ）は、後方から見た図。
【図２】第１実施形態のプロジェクターの概略構成を示すブロック図。
【図３】操作パネルを示す平面図。
【図４】縦方向の台形歪の補正を説明するための説明図であり、（ａ）は、プロジェクターの側面図、（ｂ）、（ｄ）は、投写面Ｓの正面図、（ｃ）は、液晶ライトバルブの正面図。
【図５】横方向の台形歪の補正を説明するための説明図であり、（ａ）は、プロジェクターの平面図、（ｂ）、（ｄ）は、投写面Ｓの正面図、（ｃ）は、液晶ライトバルブの正面図。
【図６】第１実施形態に係るプロジェクターを設置した際のプロジェクターの動作を示すフローチャート。
【図７】設置メニューを示す説明図。
【図８】台形歪を手動で補正するための操作画面を示す説明図。
【図９】カラーモードを選択するための選択画面を示す説明図。
【図１０】画像の明るさを調整するための調整画面を示す説明図。
【図１１】環境設定メニューを示す説明図。
【図１２】設置メニューに設定項目を追加するための項目追加画面を示す説明図。
【図１３】設置メニューから削除する設定項目を選択するための選択画面を示す説明図。
【図１４】第２実施形態に係るプロジェクターの概略構成を示すブロック図。
【図１５】第２実施形態に係るプロジェクターを設置した際のプロジェクターの動作を示すフローチャート。
【発明を実施するための形態】
【００２３】
（第１実施形態）
以下、第１実施形態のプロジェクターについて、図面を参照して説明する。
【００２４】
図１は、本実施形態のプロジェクターを示す斜視図であり、（ａ）は、前方から見た図、（ｂ）は、後方から見た図である。
図１（ａ）、（ｂ）に示すように、プロジェクター１は、装置本体を収容する筐体２を備えて構成されており、筐体２の上面２ｔには、ユーザーにより入力操作が行われる操作パネル２２が配置されている。筐体２の背面２ｒには、複数の入力端子を備えた画像情報入力部２３が設けられており、画像情報入力部２３には、図示しない外部の画像供給装置から画像情報が入力される。筐体２の前面２ｆには、投写レンズ１３を露出させるための開口部３が形成されており、この投写レンズ１３から、画像情報に基づく画像が前方の投写面Ｓに投写される。
【００２５】
筐体２の底面には、前方に１つと後方に２つの脚部（フット４）が設けられており、このうち、前方の脚部（フロントフット４ａ）は、筐体２の底面から突出する長さ（突出量）を調整可能になっている。そして、フロントフット４ａの突出量を最短にすると、プロジェクター１は、設置面と略平行な姿勢になり、このとき、投写レンズ１３の光軸は投写面Ｓに対して垂直になる。そして、フロントフット４ａの突出量を長くするほど、筐体２の前面２ｆ側が持ち上がるようにプロジェクター１が傾き、画像の投写位置がより上方に移動する。
【００２６】
図２は、プロジェクター１の概略構成を示すブロック図であり、図３は、プロジェクター１の操作パネル２２を示す平面図である。
図２に示すように、プロジェクター１は、画像投写部１０、制御部２０、記憶部２１、操作パネル２２、画像情報入力部２３、ネットワーク通信部２４、画像処理部２５、ＯＳＤ処理部２６、画像補正部２７、光源制御部２８、姿勢検出部２９等を備えており、これらは、筐体２の内部に収容されている。
【００２７】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２８】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域１２ａを備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域１２ａを透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３０】
制御部２０は、ＣＰＵ（Central Processing Unit）や、各種データ等の一時記憶に用いられるＲＡＭ（Random Access Memory）等を備え、記憶部２１に記憶されている制御プログラムに従ってＣＰＵが動作することによりプロジェクター１の動作を制御する。つまり、制御部２０は、記憶部２１とともにコンピューターとして機能する。
【００３１】
記憶部２１は、フラッシュメモリーや、マスクＲＯＭ（Read Only Memory）、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３２】
操作パネル２２は、ユーザーの入力操作を受け付ける入力操作部に相当するものであり、ユーザーがプロジェクター１に対して各種指示を行うための複数の操作キーを備えている。図３に示すように、本実施形態の操作パネル２２には、電源キー４１、入力切替キー４２、メニューキー４３、上下左右に対応する４つの方向キー４４（上方向キー４４ａ、下方向キー４４ｂ、左方向キー４４ｃ、右方向キー４４ｄ）、決定キー４５、ＥＳＣ（Escape）キー４６、ヘルプキー４７等の操作キーが含まれている。ユーザーが操作パネル２２の各種操作キーを操作すると、操作パネル２２は、この操作を受け付けて、操作された操作キーに対応する制御信号を制御部２０に出力する。そして、制御部２０は、操作パネル２２から制御信号が入力されると、入力された制御信号に基づく処理を行って、プロジェクター１の動作を制御する。なお、操作パネル２２の代わりに、或いは操作パネル２２とともに、遠隔操作が可能なリモコン（図示せず）を入力操作部として用いた構成としてもよい。この場合、リモコンは、ユーザーの操作内容に応じた赤外線の操作信号を発信し、図示しないリモコン信号受信部がこれを受信して制御部２０に伝達する。
【００３３】
図２に戻って、画像情報入力部２３は、上述したように、複数の入力端子を備えており、これらの入力端子には、ビデオ再生装置やパーソナルコンピューター等、図示しない外部の画像供給装置から各種形式の画像情報が入力される。画像情報入力部２３は、入力された画像情報を画像処理部２５に出力する。
【００３４】
ネットワーク通信部２４は、ネットワークＮＷに有線又は無線で接続可能な通信インターフェイスであり、制御部２０は、ネットワーク通信部２４を介して、ネットワークＮＷに接続された画像供給装置（図示せず）との間でデータ通信を行うことができる。なお、投写すべき画像の画像情報がネットワークＮＷを介して入力された場合には、ネットワーク通信部２４は、この画像情報を画像処理部２５に出力する。
【００３５】
画像処理部２５は、画像情報入力部２３又はネットワーク通信部２４から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２５は、制御部２０の指示に基づいて、変換した画像情報に対して、明るさ、コントラスト、シャープネス、色合い等の画質を調整するための画質調整処理等を行い、処理後の画像情報をＯＳＤ処理部２６に出力する。
【００３６】
ＯＳＤ処理部２６は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部２６は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部２６は、必要なＯＳＤ画像情報をＯＳＤメモリーから読み出し、入力画像上の所定の位置にＯＳＤ画像が重畳されるように、画像処理部２５から入力される画像情報にこのＯＳＤ画像情報を合成する。ＯＳＤ画像情報が合成された画像情報は、画像補正部２７に出力される。なお、制御部２０からＯＳＤ画像を重畳する旨の指示がない場合には、ＯＳＤ処理部２６は、画像処理部２５から入力される画像情報を、そのまま画像補正部２７に出力する。
【００３７】
画像補正部２７は、投写面Ｓに対して斜め方向から画像を投写する場合に生じる台形歪を補正するための処理を行う。具体的には、画像補正部２７は、制御部２０の指示に基づいて、液晶ライトバルブ１２Ｒ，１２Ｇ，１２Ｂの画素領域１２ａ内に、台形歪を相殺可能な形状の画像形成領域１２ｅ（図４（ｃ）参照）を設定する。そして、この画像形成領域１２ｅ内に入力画像が形成されるように、ＯＳＤ処理部２６から入力される画像情報を補正するとともに、画像形成領域１２ｅの外側の画素については、黒色の画素値、つまり、光透過率が最小となる画素値に設定する。画像補正部２７は、上記のように補正した画像情報を液晶駆動部１４に出力する。なお、制御部２０から台形歪を補正する旨の指示がない場合には、画像補正部２７は、ＯＳＤ処理部２６から入力される画像情報を、そのまま液晶駆動部１４に出力する。この場合には、画素領域１２ａの全域が画像形成領域１２ｅとなり、画素領域１２ａの全域で入力画像が形成される。
【００３８】
その後、液晶駆動部１４が、画像補正部２７から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００３９】
光源制御部２８は、制御部２０の指示に基づいて光源装置１１（光源ランプ１１ａ）の点灯を制御する。具体的には、光源制御部２８は、光源ランプ１１ａに所定の電力を供給することにより光源ランプ１１ａを点灯させるとともに、電力の供給を停止して光源ランプ１１ａを消灯させることができる。また、光源制御部２８は、制御部２０の指示に基づいて光源ランプ１１ａに供給する電力を制御することにより、光源ランプ１１ａの輝度（明るさ）を調整することが可能であり、本実施形態では、比較的明るい「高輝度」と、比較的暗い「低輝度」の２段階に調整可能になっている。
【００４０】
姿勢検出部２９は、加速度センサー等によって構成され、プロジェクター１の設置状態、即ちプロジェクター１の上下方向の傾き（姿勢）を検出する。姿勢検出部２９は、検出結果を制御部２０に出力し、制御部２０は、姿勢検出部２９の検出結果に基づき、画像補正部２７に縦方向の台形歪の補正を指示する。
【００４１】
図４は、縦方向の台形歪の補正を説明するための説明図であり、（ａ）は、プロジェクター１の側面図、（ｂ）、（ｄ）は、投写面Ｓの正面図、（ｃ）は、液晶ライトバルブ１２Ｒ，１２Ｇ，１２Ｂの正面図である。
例えば、図４（ａ）に示すように、フロントフット４ａを突出させること等により、投写レンズ１３の光軸Ａが斜め上方を向くようにプロジェクター１が傾いている場合には、図４（ｂ）に示すように、投写される画像Ｐｏ（入力画像Ｐｉ）は、上方ほど拡大するような台形状に変形して表示される。このため、図４（ｃ）に示すように、制御部２０は、この台形歪が相殺されるように、画像形成領域１２ｅの形状を、上側ほど縮小するように画像補正部２７に設定させ、この画像形成領域１２ｅ内に入力画像を形成させる。この結果、図４（ｄ）に示すように、台形歪が補正され、入力画像Ｐｉが矩形状に表示される。また、図示は省略するが、投写レンズ１３の光軸Ａが斜め下方を向くようにプロジェクター１が傾いている場合には、投写される画像は、下方ほど拡大するような台形状に変形するため、制御部２０は、画像形成領域１２ｅの形状を、下側ほど縮小させるように画像補正部２７に設定させる。このように、縦方向（上下方向）の台形歪に関しては、ユーザーが手動で補正の操作を行うことなく、姿勢検出部２９によって検出されるプロジェクター１の傾きに基づいて自動で補正される。
【００４２】
また、台形歪の補正は、上述した自動での補正に加えて、操作キーの操作に基づく手動での補正も行うこともできる。そして、手動で補正する場合には、縦方向の台形歪に加えて、横方向の台形歪についても補正することができる。
【００４３】
図５は、横方向の台形歪の補正を説明するための説明図であり、（ａ）は、プロジェクター１の平面図、（ｂ）、（ｄ）は、投写面Ｓの正面図、（ｃ）は、液晶ライトバルブ１２Ｒ，１２Ｇ，１２Ｂの正面図である。
例えば、図５（ａ）に示すように、投写レンズ１３の光軸Ａが投写面Ｓに対して斜め左方向を向くようにプロジェクター１が傾いている場合には、図５（ｂ）に示すように、投写される画像Ｐｏ（入力画像Ｐｉ）は、左側ほど拡大するような台形状に変形して表示される。この場合には、図５（ｃ）に示すように、この台形歪が相殺されるように、画像形成領域１２ｅの形状を、左側ほど縮小するように設定すれば、図５（ｄ）に示すように、台形歪が補正されて、入力画像Ｐｉが矩形状に表示される。また、図示は省略するが、投写レンズ１３の光軸Ａが投写面Ｓに対して斜め右方向を向くようにプロジェクター１が傾いている場合には、投写される画像は、右側ほど拡大するような台形状に変形する。この場合には、画像形成領域１２ｅの形状を、右側ほど縮小させるように設定すれば、入力画像Ｐｉが矩形状に表示される。
【００４４】
次に、プロジェクター１の動作について説明する。
本実施形態のプロジェクター１は、姿勢検出部２９によって検出されたプロジェクター１の傾きに基づいて縦方向の台形歪を補正した後、プロジェクター１の設定を行うためのメニュー画像（設置メニュー）を表示可能になっている。記憶部２１には、設置メニューを表示するか否かを表す図示しない情報（メニュー表示フラグ）が記憶されており、プロジェクター１は、このメニュー表示フラグがオンの場合に設置メニューを表示し、メニュー表示フラグがオフの場合には設置メニューを表示しない。ユーザーは、メニュー表示フラグのオンとオフ、即ち設置メニューを表示するか否かについて任意に設定することができる。
【００４５】
図６は、プロジェクター１を設置した際のプロジェクター１の動作を示すフローチャートであり、図７は、設置メニューを示す説明図である。ユーザーがプロジェクター１を設置した後でプロジェクター１の姿勢（傾き）を変化させると、プロジェクター１は、図６に示すフローに従って動作する。
【００４６】
図６に示すように、ステップＳ１０１では、姿勢検出部２９がプロジェクター１の傾きを検出し、検出結果を制御部２０に出力する。
【００４７】
ステップＳ１０２では、制御部２０は、姿勢検出部２９の検出結果に基づいて、画像補正部２７に縦方向の台形歪を補正（自動補正）させる。つまり、制御部２０は、画像補正部２７に指示をして、姿勢検出部２９が検出したプロジェクター１の傾きに応じて画像形成領域１２ｅの形状を設定させ、この画像形成領域１２ｅ内に入力画像を形成させる。
【００４８】
ステップＳ１０３では、制御部２０は、記憶部２１に記憶されているメニュー表示フラグがオンかオフか、即ち設置メニューを表示するか否かを判断する。そして、メニュー表示フラグがオンの場合、即ち設置メニューを表示する場合にはステップＳ１０４に移行し、メニュー表示フラグがオフの場合、即ち設置メニューを表示しない場合にはフローを終了する。
【００４９】
メニュー表示フラグがオンであってステップＳ１０４に移行した場合には、制御部２０は、ＯＳＤ処理部２６に指示をして、設置メニューＰｓを重畳表示させる（図７参照）。なお、設置メニューＰｓを表示させる際の制御部２０及びＯＳＤ処理部２６は、メニュー表示部に相当する。
【００５０】
図７に示すように、設置メニューＰｓには、複数の項目（設定項目）が縦に並んで配列されている。図７に示した例では、台形歪を手動で補正するための「台形歪手動補正」、画質の調整モード（カラーモード）を設定するための「カラーモード」、画像の明るさを調整するための「明るさ」、光源ランプ１１ａの輝度を調整するための「ランプ輝度」、ネットワークに関する設定を行うための「ネットワーク設定」の５つの項目が表示されている。また、５つの設定項目の中の１項目（図７では、「台形歪手動補正」）は、背景色が他の項目と異なっており、この項目が選択された状態であることを示している。なお、記憶部２１には、設置メニューＰｓに含めるべき設定項目を規定する設置メニュー情報（図示せず）が記憶されており、制御部２０は、この設置メニュー情報に基づいて、ＯＳＤ処理部２６に設置メニューＰｓを生成させて表示させる。
【００５１】
設置メニューＰｓが表示された状態では、ユーザーは、上下の方向キー４４ａ，４４ｂを操作することによって所望の設定項目を選択することができる。そして、所望の設定項目を選択した状態で決定キー４５を操作することにより、設定項目の選択が確定し、当該設定項目に関する設定を行うことができる。また、ユーザーは、ＥＳＣキー４６を操作することにより、設置メニューＰｓの表示を終了させることができる。
【００５２】
図６に戻って、ステップＳ１０５では、制御部２０は、ユーザーによりＥＳＣキー４６が操作されたか否かを判断する。そして、ＥＳＣキー４６が操作された場合には、ステップＳ１０８に移行し、ＥＳＣキー４６が操作されていない場合にはステップＳ１０６に移行する。
【００５３】
ＥＳＣキー４６が操作されずにステップＳ１０６に移行した場合には、制御部２０は、設定項目の選択が確定したか否か、即ちいずれかの設定項目が選択された状態で決定キー４５が操作されたか否かを判断する。そして、設定項目の選択が確定した場合にはステップＳ１０７に移行し、選択が確定していない場合にはステップＳ１０５に戻る。
【００５４】
設定項目の選択が確定してステップＳ１０７に移行した場合には、制御部２０は、選択された設定項目に応じてプロジェクター１の動作を制御する。
【００５５】
例えば、設置メニューＰｓにて「台形歪手動補正」が選択された場合には、制御部２０は、ＯＳＤ処理部２６に指示をして、台形歪を手動で補正するための操作画面Ｐｃを重畳表示させる（図８参照）。図８に示すように、操作画面Ｐｃは、縦方向及び横方向の台形歪の補正状態を表す補正値Ｎｖ，Ｎｈと、棒グラフ状のインジケーターＩｖ，Ｉｈとを含んでおり、ユーザーは、これらの補正値Ｎｖ，ＮｈやインジケーターＩｖ，Ｉｈで補正状態を確認しながら、台形歪を手動で補正することができる。また、操作画面Ｐｃには、上下の方向キー４４ａ，４４ｂを操作することによって縦方向の台形歪を補正できること、左右の方向キー４４ｃ，４４ｄを操作することによって横方向の台形歪を補正できること、ＥＳＣキー４６を操作することによって台形歪の手動補正を終了できることが表記されている。
【００５６】
この操作画面Ｐｃが表示されている状態で、ユーザーが方向キー４４を操作すると、制御部２０は、画像補正部２７に指示をして、画像形成領域１２ｅの形状を操作に応じて調整させる。具体的には、上方向キー４４ａが操作された場合には、制御部２０は、画像補正部２７に指示をして、画像形成領域１２ｅの上側を所定量だけ縮小させ、下方向キー４４ｂが操作された場合には、画像形成領域１２ｅの下側を所定量だけ縮小させる。なお、画像形成領域１２ｅの下側が縮小している状態で上方向キー４４ａが操作された場合には、制御部２０は、画像形成領域１２ｅの上側を縮小させる代わりに、下側の縮小を所定量だけ戻す。同様に、画像形成領域１２ｅの上側が縮小している状態で下方向キー４４ｂが操作された場合には、制御部２０は、画像形成領域１２ｅの下側を縮小させる代わりに、上側の縮小を所定量だけ戻す。
【００５７】
また、左方向キー４４ｃが操作された場合には、制御部２０は、画像補正部２７に指示をして、画像形成領域１２ｅの左側を所定量だけ縮小させ、右方向キー４４ｄが操作された場合には、画像形成領域１２ｅの右側を所定量だけ縮小させる。なお、画像形成領域１２ｅの右側が縮小している状態で左方向キー４４ｃが操作された場合には、制御部２０は、画像形成領域１２ｅの左側を縮小させる代わりに、右側の縮小を所定量だけ戻す。同様に、画像形成領域１２ｅの左側が縮小している状態で右方向キー４４ｄが操作された場合には、制御部２０は、画像形成領域１２ｅの右側を縮小させる代わりに、左側の縮小を所定量だけ戻す。
【００５８】
このように、設置メニューＰｓにて「台形歪手動補正」を選択することにより、ユーザーは、縦方向の台形歪を微調整して自動での補正結果を補ったり、自動では補正されない横方向の台形歪を補正したりすることができる。そして、ユーザーによってＥＳＣキー４６が操作されると、制御部２０は、ＯＳＤ処理部２６に操作画面Ｐｃの表示を終了させる。
【００５９】
また、設置メニューＰｓにて「カラーモード」が選択された場合には、制御部２０は、ＯＳＤ処理部２６に指示をして、選択画面Ｐｍ（図９参照）を重畳表示させ、いずれか１つのカラーモードをユーザーに選択させる。選択画面Ｐｍが表示された状態では、ユーザーは、上下の方向キー４４ａ，４４ｂよって所望のカラーモードを選択することが可能であり、その後で、決定キー４５を操作することにより、カラーモードの選択が確定する。ここで、「カラーモード」は、画像の種別や投写環境等に応じて画質を調整するための項目であり、カラーモードの種類としては、明るい環境での視聴に適する「ダイナミック」や、薄明かりの中での視聴に適する「リビング」、暗い環境下で入力信号に忠実な画像を再現可能な「ナチュラル」、暗い環境下での映画鑑賞に適する「シアター」等がある。ユーザーは、これらの中から画像や投写環境等に応じたカラーモードを選択することが可能であり、ユーザーによってカラーモードが選択されると、制御部２０は、画像処理部２５に指示をして、選択されたカラーモードに応じた画像処理を行わせる。
【００６０】
また、設置メニューＰｓにて「明るさ」が選択された場合には、制御部２０は、ＯＳＤ処理部２６に指示をして、調整画面Ｐｂ（図１０参照）を重畳表示させ、ユーザーに明るさの調整を行わせる。ユーザーは、左右の方向キー４４ｃ，４４ｄを操作することによって明るさの設定値を増減させることが可能であり、ユーザーによって設定値の調整がなされると、制御部２０は、画像処理部２５に指示をして、設定値に応じた明るさにするための画像処理を行わせる。
【００６１】
また、図示は省略するが、設置メニューＰｓにて「ランプ輝度」が選択された場合には、制御部２０は、ＯＳＤ処理部２６に指示をして、光源ランプ１１ａの輝度を高輝度で点灯させるか低輝度で点灯させるかを選択するための選択画面（図示せず）を表示させ、ユーザーにいずれか一方を選択させる。そして、ユーザーがいずれかを選択すると、制御部２０は、選択された輝度で光源ランプ１１ａを点灯させるよう、光源制御部２８に指示をする。また、設置メニューＰｓにて「ネットワーク設定」が選択された場合には、制御部２０は、ＯＳＤ処理部２６に指示をして、ネットワーク接続を行うための各種情報（例えば、ＥＳＳＩＤやＩＰアドレス等）を入力するための入力画面（図示せず）を表示させ、ユーザーにこれらの情報を入力させる。制御部２０は、ネットワーク接続を行う際に参照できるよう、ユーザーに入力された各種情報を記憶部２１に記憶する。
【００６２】
図６に戻って、制御部２０は、設置メニューＰｓで選択された項目に応じた動作を制御した後、表示したＯＳＤ画像（操作画面Ｐｃ、選択画面Ｐｍ、調整画面Ｐｂ等）をＯＳＤ処理部２６に消去させ、ステップＳ１０４に戻る。そして、ステップＳ１０４で再び設置メニューＰｓを表示させ、ユーザーに設定項目を選択させる。このため、ユーザーは、１つの設定項目に関する設定が終わった後も、引き続き他の設定項目に関する設定を行うことが可能である。
【００６３】
また、設置メニューＰｓが表示されている状態でＥＳＣキー４６が操作されステップＳ１０８に移行した場合には、制御部２０は、ＯＳＤ処理部２６に指示をして、設置メニューＰｓの重畳表示を終了させ、フローを終了する。
【００６４】
本実施形態のプロジェクター１は、上記のように動作するため、ユーザーがプロジェクター１の姿勢（傾き）を変化させると、この変化が姿勢検出部２９によって検出され、プロジェクター１の傾きに伴って生じる縦方向の台形歪が自動で補正される。そして、台形歪が補正された後には、プロジェクター１の設定を行うための設置メニューＰｓが表示されるため、ユーザーは、設置メニューＰｓに含まれる設定項目を選択することによって、その項目に関する設定を行うことができる。
【００６５】
次に、設置メニューＰｓのカスタマイズについて説明する。
設置メニューＰｓは、上述したように、その表示の有無をユーザーが選択できるとともに、設置メニューＰｓに含まれる設定項目についても、ユーザーが変更できるようになっている。
【００６６】
図１１は、操作パネル２２のメニューキー４３が操作された際に表示されるメニュー画像（環境設定メニュー）を示す説明図である。ユーザーによって操作パネル２２のメニューキー４３が操作されると、制御部２０は、ＯＳＤ処理部２６に指示をして、プロジェクター１に関する様々な設定を行うことが可能な環境設定メニューＰｏを重畳表示させる。
【００６７】
図１１に示すように、環境設定メニューＰｏは、第１の選択部Ｐ１と、第２の選択部Ｐ２と、ガイド部Ｐ３とを備えている。第１の選択部Ｐ１には、「画質調整」、「映像」、「ネットワーク」等のカテゴリー名が縦方向に配列されており、ユーザーは、上下の方向キー４４ａ，４４ｂを操作することによって所望のカテゴリーを選択することができる。そして、所望のカテゴリーを選択した状態で決定キー４５を操作すると、選択されたカテゴリーに関する設定項目等が第２の選択部Ｐ２に表示される。第１の選択部Ｐ１には、設置メニューＰｓに関する設定を行うためのカテゴリー「設置メニュー」が含まれており、この「設置メニュー」を選択して決定キー４５を操作した場合には、第２の選択部Ｐ２に、設置メニューＰｓに含まれる設定項目の一覧Ｌが表示されるとともに、「設置メニューの表示」、「項目の追加」、「項目の削除」の３つの項目が表示される。ユーザーは、上下の方向キー４４ａ，４４ｂを操作することによって、３つの項目の中から所望の項目を選択することができる。また、ガイド部Ｐ３は、操作を案内するためのものであり、操作キーとその動作内容とが対応付けられて表記されている。
【００６８】
ここで、第２の選択部Ｐ２で「設置メニューの表示」が選択された場合には、制御部２０は、ＯＳＤ処理部２６に指示をして、「オン」と「オフ」のいずれかを選択するための選択画面（図示せず）を表示させ、ユーザーにいずれか一方を選択させる。この「オン」と「オフ」は、メニュー表示フラグのオンとオフとに対応しており、ユーザーがいずれかを選択すると、制御部２０は、メニュー表示フラグを更新する。つまり、「設置メニューの表示」で「オン」が選択された場合には、縦方向の台形歪の自動補正の後に設置メニューＰｓが表示され、「オフ」が選択された場合には、縦方向の台形歪の自動補正の後に設置メニューＰｓが表示されない。
【００６９】
また、第２の選択部Ｐ２で「項目の追加」が選択された場合には、制御部２０は、ＯＳＤ処理部２６に指示をして、設置メニューＰｓに設定項目を追加するための項目追加画面Ｐａ（図１２参照）を表示させる。図１２に示すように、項目追加画面Ｐａには、追加項目選択部Ｐａ１と、項目表示部Ｐａ２とを含んでいる。項目表示部Ｐａ２には、その時点で設置メニューＰｓに含まれている設定項目が配列され、追加項目選択部Ｐａ１には、設置メニューＰｓに含めることが可能な多数の設定項目が配列されている。ユーザーは、上下の方向キー４４ａ，４４ｂを操作することによって、追加項目選択部Ｐａ１の中から所望の設定項目を選択することができる。なお、追加項目選択部Ｐａ１に一度に表示できる設定項目は、選択可能な設定項目の一部のみであり、他の設定項目については、スクロールアップ又はスクロールダウンによって表示することができる。ユーザーが所望の設定項目を選択した状態で決定キー４５を操作すると、選択された設定項目が項目表示部Ｐａ２に追加される。ユーザーは、上記の操作を繰り返すことによって複数の設定項目を追加することもできる。そして、制御部２０は、設定項目の追加結果を、記憶部２１に記憶されている設置メニュー情報に反映させる。
【００７０】
ここで、設置メニューＰｓに含めることが可能な設定項目としては、例えば、画質調整に関する項目（「カラーモード」、「明るさ」、「コントラスト」等）、画像の形状補正に関する項目（「台形歪手動補正」等）、光源ランプ１１ａに関する項目（「ランプ輝度」等）、他の装置との接続に関する項目（「ネットワーク設定」等）があり、これ以外にもプロジェクター１に関する様々な設定項目を含めることができる。ただし、設置メニューＰｓは、台形歪の自動補正の後、即ちプロジェクター１を新たに設置したり、設置し直したりした後で表示されるものであるため、上記の各項目のように、プロジェクター１の設置に伴って変更の必要が生じうる設定項目を含めることが望ましい。
【００７１】
また、第２の選択部Ｐ２で「項目の削除」が選択された場合には、制御部２０は、ＯＳＤ処理部２６に指示をして、設置メニューＰｓから削除する設定項目を選択するための選択画面Ｐｄ（図１３参照）を表示させる。図１３に示すように、選択画面Ｐｄには、その時点で設置メニューＰｓに含まれている設定項目が配列されおり、ユーザーは、上下の方向キー４４ａ，４４ｂを操作することによって所望の設定項目を選択することができる。そして、所望の設定項目を選択した状態で決定キー４５を操作すると、選択された設定項目が設置メニューＰｓから削除される。ユーザーは、上記の操作を繰り返すことによって複数の設定項目を削除することもできる。そして、制御部２０は、設定項目の削除結果を、記憶部２１に記憶されている設置メニュー情報に反映させる。
【００７２】
以上説明したように、本実施形態のプロジェクター１よれば、以下の効果を得ることができる。
【００７３】
（１）本実施形態のプロジェクター１によれば、姿勢検出部２９の検出結果に基づく台形歪の補正（自動補正）を行った後に、プロジェクター１の設定を行うため設置メニューＰｓを表示させている。このため、ユーザーによってプロジェクター１が設置されると、設置状態に応じて台形歪が補正されるとともに、プロジェクター１の各種設定を設置状態に応じて設定し直すことが容易になり、設置時の利便性が向上する。
【００７４】
（２）本実施形態のプロジェクター１によれば、環境設定メニューＰｏにおいて設置メニューＰｓを表示するか否かを選択できるため、プロジェクター１の設定を行う必要がない場合にも設置メニューＰｓが表示されてしまうことを防ぐことができる。
【００７５】
（３）本実施形態のプロジェクター１によれば、設置メニューＰｓに含まれる設定項目を変更（追加及び削除）できるため、使用環境やユーザーの好み等に応じた設定項目を設置メニューＰｓに含めることが可能となり、設置時の利便性がさらに向上する。
【００７６】
なお、本実施形態では、環境設定メニューＰｏ（図１１参照）の「設置メニューの表示」に関して「オン」又は「オフ」を選択させる際の制御部２０がメニュー表示選択部に相当し、項目追加画面Ｐａ（図１２参照）によって設定項目を追加したり、選択画面Ｐｄ（図１３）によって設定項目を削除したりする際の制御部２０がメニュー変更部に相当する。
【００７７】
（第２実施形態）
以下、第２実施形態のプロジェクターについて、図面を参照して説明する。
【００７８】
図１４は、第２実施形態に係るプロジェクター１の概略構成を示すブロック図である。
図１４に示すように、本実施形態のプロジェクター１は、姿勢検出部２９の代わりに動き検出部３０を備えるとともに、撮像部３１及びフォーカス駆動部３２をさらに備えている。
【００７９】
動き検出部３０は、ジャイロセンサー等によって構成され、設置の際等に生じるプロジェクター１の動きを検出し、検出結果を制御部２０に出力する。制御部２０は、動き検出部３０の検出結果に基づいて、プロジェクター１を設置する作業をしている状況であるか否かを判断することが可能であり、プロジェクター１が動いている状態から停止した状態に移行した場合に、プロジェクター１の設置が完了したと判断する。
【００８０】
撮像部３１は、制御部２０の指示に従って投写面Ｓを撮像可能になっており、撮像した画像（撮像画像）の画像情報を制御部２０に出力する。制御部２０には、撮像画像を解析する画像解析部２０ａが備えられており、画像解析部２０ａは、撮像画像に含まれる投写面Ｓ（例えば、スクリーン）の枠及び投写された画像の輪郭に基づいて、投写面Ｓに対するプロジェクター１の上下方向及び左右方向の傾き（姿勢）を検出することができる。このため、本実施形態では、撮像部３１と画像解析部２０ａがプロジェクター１の設置状態を検出する検出部に相当する。
【００８１】
フォーカス駆動部３２は、制御部２０の指示に基づいて、投写レンズ１３のフォーカス調整機構（図示せず）を駆動し、画像のフォーカス状態を変化させるものであり、制御部２０は、このフォーカス駆動部３２によって、フォーカス状態を適切な状態に調整し、合焦させることができる。具体的には、制御部２０は、画像処理部２５に指示をしてフォーカス調整用のパターン画像を投写させるとともに、フォーカス状態を少しずつ変化させながら、投写されたパターン画像を撮像部３１に撮像させる。制御部２０は、この撮像画像を画像解析部２０ａで解析して適切なフォーカス状態を検出し、フォーカス駆動部３２にこのフォーカス状態を再現させることにより、フォーカス状態を調整する。
上記以外の構成は、第１実施形態と同一である。
【００８２】
図１５は、第２実施形態に係るプロジェクター１を設置した際のプロジェクター１の動作を示すフローチャートである。ユーザーがプロジェクター１を設置したり、設置し直したりする作業を行うと、プロジェクター１は、図１５に示すフローに従って動作する。
【００８３】
図１５に示すように、ステップＳ２０１では、動き検出部３０がプロジェクター１の動きを検出し、ステップＳ２０２では、制御部２０が、動き検出部３０の検出結果に基づいて、プロジェクター１の設置が完了したか否かを判断する。そして、設置が完了したと判断した場合にはステップＳ２０３に移行し、設置が完了していない場合にはステップＳ２０１に戻る。
【００８４】
設置が完了してステップＳ２０３に移行すると、制御部２０は、撮像部３１に投写面Ｓを撮像させ、この撮像画像に基づいて、画像解析部２０ａでプロジェクター１の上下方向及び左右方向の傾きを検出する。そして、ステップＳ２０４では、制御部２０は、画像補正部２７に指示をして、プロジェクター１の傾きによって生じる縦方向及び横方向の台形歪を補正させる。
【００８５】
ステップＳ２０５では、制御部２０は、上述したように、フォーカス調整用のパターン画像を投写させることによってフォーカス状態を調整し、合焦状態にする。
【００８６】
これ以降のステップＳ２０６〜Ｓ２１１は、第１の実施形態のステップＳ１０３〜Ｓ１０８と同一であり、制御部２０は、記憶部２１に記憶されているメニュー表示フラグがオンの場合に設置メニューＰｓ（図７参照）を表示させ、設置メニューＰｓで選択された設定項目に応じてプロジェクター１の動作を制御する。
【００８７】
以上説明したように、本実施形態のプロジェクター１よれば、第１実施形態の効果に加えて以下の効果を得ることができる。
本実施形態のプロジェクター１によれば、フォーカス状態を調整した後で設置メニューＰｓが表示されるため、設置メニューＰｓの視認性が向上する。また、縦方向及び横方向の双方の台形歪が自動で補正されるため、設置時の利便性がさらに向上する。
【００８８】
なお、本実施形態では、制御部２０が撮像部３１の撮像結果に基づいてフォーカス状態の調整を制御していることから、制御部２０、撮像部３１及びフォーカス駆動部３２がフォーカス調整部に相当する。
【００８９】
（変形例）
また、上記実施形態は、以下のように変更してもよい。
【００９０】
上記実施形態では、投写したフォーカス調整用のパターン画像を撮像部３１に撮像させ、この撮像画像に基づいてフォーカス状態を調整しているが、フォーカス状態の調整方法は、これに限定されず、例えば、赤外線を照射して距離を測定する測距センサーを利用し、この測距センサーが測定した距離に基づいてフォーカス状態を調整するようにしてもよい。
【００９１】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像光に変調する態様とすることも可能である。
【００９２】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００９３】
上記実施形態では、光源装置１１は、放電型の光源ランプ１１ａによって構成されているが、ＬＥＤ（Light Emitting Diode：発光ダイオード）光源やレーザー光源等の固体光源、或いはその他の光源に適用することもできる。
【符号の説明】
【００９４】
１…プロジェクター、２…筐体、２ｆ…前面、２ｒ…背面、２ｔ…上面、３…開口部、４…フット、４ａ…フロントフット、１０…画像投写部、１１…光源装置、１１ａ…光源ランプ、１１ｂ…リフレクター、１２Ｒ，１２Ｇ，１２Ｂ…液晶ライトバルブ、１２ａ…画素領域、１２ｅ…画像形成領域、１３…投写レンズ、１４…液晶駆動部、２０…制御部、２０ａ…画像解析部、２１…記憶部、２２…操作パネル、２３…画像情報入力部、２４…ネットワーク通信部、２５…画像処理部、２６…ＯＳＤ処理部、２７…画像補正部、２８…光源制御部、２９…姿勢検出部、３０…動き検出部、３１…撮像部、３２…フォーカス駆動部、４１…電源キー、４２…入力切替キー、４３…メニューキー、４４…方向キー、４４ａ…上方向キー、４４ｂ…下方向キー、４４ｃ…左方向キー、４４ｄ…右方向キー、４５…決定キー、４６…ＥＳＣキー、４７…ヘルプキー、Ｐｏ…画像、Ｐｉ…入力画像、Ｐｓ…設置メニュー、Ｐｃ…操作画面、Ｎｖ，Ｎｈ…補正値、Ｉｖ，Ｉｈ…インジケーター、Ｐｍ…選択画面、Ｐｂ…調整画面、Ｐｏ…環境設定メニュー、Ｐ１…第１の選択部、Ｐ２…第２の選択部、Ｐ３…ガイド部、Ｌ…設定項目の一覧、Ｐａ…項目追加画面、Ｐａ１…追加項目選択部、Ｐａ２…項目表示部、Ｐｄ…選択画面、Ｓ…投写面、Ａ…光軸、ＮＷ…ネットワーク。
【図１】
2012173378.tif 000003
【図２】
2012173378.tif 000004
【図３】
2012173378.tif 000005
【図４】
2012173378.tif 000006
【図５】
2012173378.tif 000007
【図６】
2012173378.tif 000008
【図７】
2012173378.tif 000009
【図８】
2012173378.tif 000010
【図９】
2012173378.tif 000011
【図１０】
2012173378.tif 000012
【図１１】
2012173378.tif 000013
【図１２】
2012173378.tif 000014
【図１３】
2012173378.tif 000015
【図１４】
2012173378.tif 000016
【図１５】
2012173378.tif 000017